(57)【要約】【課題】一連の文字列の入力・編集を容易に行うことができるテキストボックス入力システム及びテキストボックス入力プログラムを提供する。【解決手段】所望文字を入力するための手段としてのパーソナルコンピュータ用キーボード等の文字入力手段によって入力される文字列を表示するＵＲＬ入力部（文字入力枠）２が所定の文字種としての定型文字（「：／／」・「．」「／」）を区切りとして文字入力枠２ａ〜２ｍに分割されている。【選択図】      図２
2008257428.tif 000002
【特許請求の範囲】
【請求項１】
所望文字を入力する文字入力手段と、
該文字入力手段によって入力された文字列を表示する文字入力枠と、
前記文字入力手段によって入力された所定の文字種の違いを区切りとして分割した文字入力枠に表示切替する表示切替手段と、
前記分割された文字入力枠にそれぞれ入力された文字列を一連の文字列として識別する文字種識別手段と、
を備えていることを特徴とするテキストボックス入力システム。
【請求項２】
前記表示切替手段は、前記文字入力手段によって一連の文字列が入力された後の所定操作によって所定の文字種の違いを識別したうえで一括して分割した文字入力枠に表示切替することを特徴とする請求項１に記載のテキストボックス入力システム。
【請求項３】
前記表示切替手段は、前記文字入力手段によって一連の文字列が入力されている途中の所定操作によって所定の文字種の違いで分割した文字入力枠を表示することを特徴とする請求項１に記載のテキストボックス入力システム。
【請求項４】
前記表示切替手段は、前記文字入力手段によって一連の文字列が入力されている途中で所定の文字種が入力される毎に分割した文字入力枠に表示切替することを特徴とする請求項１に記載のテキストボックス入力システム。
【請求項５】
前記表示切替手段は、英文字・数字・定型文字・拡張子を所定の文字種として識別することを特徴とする請求項１乃至請求項４の何れかに記載のテキストボックス入力システム。
【請求項６】
前記表示切替手段は、前記文字列に英文字−数字−ドット−拡張子がこの順に含まれている場合には、それぞれを英文字−数字−ドット−拡張子に分割して前記文字入力枠に表示することを特徴とする請求項１乃至請求項５の何れかに記載のテキストボックス入力システム。
【請求項７】
前記表示切替手段は、前記英文字−数字−ドット−拡張子を分割して前記文字入力枠に表示した場合には、前記分割した文字入力枠のうち数字を表示した前記文字入力枠に添えてプルダウンメニュー選択ボタン又は履歴メニュー選択ボタンを表示することを特徴とする請求項６に記載のテキストボックス入力システム。
【請求項８】
前記表示切替手段は、数字が３桁以上連続している場合に、前記所定の文字種として識別することを特徴とする請求項６又は請求項７に記載のテキストボックス入力システム。
【請求項９】
所望文字を文字入力手段によって入力する文字入力ステップと、
前記文字入力手段によって入力された文字列を文字入力枠に表示する表示ステップと、
前記文字入力手段によって入力された所定の文字種の違いを区切りとして分割した文字入力枠に表示切替する表示切替ステップと、
前記分割された文字入力枠にそれぞれ入力された文字列を一連の文字列として識別する文字種識別ステップと、
をコンピュータに実行することを特徴とするテキストボックス入力プログラム。
【発明の詳細な説明】
【技術分野】
【０００１】
本発明は、一連の文字列を表示する文字入力枠に文字入力手段を用いて文字入力するテキストボックス入力システム及びテキストボックス入力プログラムに関する。
【背景技術】
【０００２】
従来、例えば、パーソナルコンピュータにインストールされたブラウザを起動させ、パーソナルコンピュータのモニタに図８に示すようなブラウザ画面１を表示させ、そのＵＲＬ入力部（文字入力枠）２にインターネット接続用のＵＲＬをキーボード等の文字入力手段を利用して入力することで所望のインターネット画像をブラウザ画面１の画像表示部３に表示している（例えば、特許文献１参照）。
【０００３】
インターネット上に存在する公開情報としての文書や画像等の情報資源場所を指し示す記述方式であるＵＲＬは、プロトコル（例えば、ｈｔｔｐ）等の情報種類、サーバの種類やホスト名（例えば、ｗｗｗ）、ドメイン名（例えば、「ｘｘｘｘｘ．ｇｏ．ｊｐ」「ｘｘｘｘｘ．ｎｅ．ｊｐ」）、フォルダ名（ディレクトリ名）、ファイル名（例えば、「ｘｘｘｘｘ．ｈｔｍｌ」・「ｘｘｘｘｘ．ｊｐｇ」・「ｘｘｘｘｘ．ｐｄｆ」）等で構成され、これら各種情報種類・サーバ種類・ドメイン名・フォルダ名・ファイル名等が所定の定型文字（例えば、「：／／」・「．」「／」等）で区切られている。
【特許文献１】特開２０００−２９８５４３号公報
【発明の開示】
【発明が解決しようとする課題】
【０００４】
ところが、上述したブラウザにあっては、ＵＲＬ、特に、サーバに格納されている公開情報用のフォルダ名やファイル名が長い場合には、ＵＲＬ入力部２に長い文字列を入力する必要があり、直接ＵＲＬをＵＲＬ入力部２に入力したり編集する際には、上述した定型文字や記号等の入力・編集を含め、その作業が非常に面倒であるという問題が生じていた。
【０００５】
同様に、複数のフォルダ名（ディレクトリ名）を階層（下層）指定しないと所望の公開情報用のファイルが格納されていない場合においても、例えば、ＵＲＬが「ｈｔｔｐ：／／ｗｗｗ．ｘｘｘｘｘ．ｇｏ．ｊｐ／ｃｇｉ／ｔｅｔｕｚｕｋｉ／ｒｙｏｕｋｉｎ／ｒｙｏｕｋｉｎ＿ｋａｉｓｅｉ．ｈｔｍ」となっていた場合、所望するファイル“ｒｙｏｕｋｉｎ＿ｋａｉｓｅｉ．ｈｔｍ”がフォルダ“ｃｇｉ”の下層のフォルダ“ｔｅｔｕｚｕｋｉ”のさらに下層の“ｒｙｏｕｋｉｎ”に格納されているため、長い文字列入力を余儀なくされるうえ、これら３層のフォルダ名を指定しなければならならず、それだけスペルミス等の誤入力をしてしまう可能性が高くなるという問題が生じていた。
【０００６】
そこで、本発明は、上記事情を考慮し、一連の文字列の入力・編集を容易に行うことができるテキストボックス入力システム及びテキストボックス入力プログラムを提供することを目的とする。
【課題を解決するための手段】
【０００７】
本発明のテキストボックス入力システムは、所望文字を入力する文字入力手段と、該文字入力手段によって入力された文字列を表示する文字入力枠と、前記文字入力手段によって入力された所定の文字種の違いを区切りとして分割した文字入力枠に表示切替する表示切替手段と、前記分割された文字入力枠にそれぞれ入力された文字列を一連の文字列として識別する文字種識別手段と、備えていることを特徴とする。
【０００８】
この際、前記表示切替手段は、前記文字入力手段によって一連の文字列が入力された後の所定操作によって所定の文字種の違いを識別したうえで一括して分割した文字入力枠に表示切替することを特徴とする。
【０００９】
また、前記表示切替手段は、前記文字入力手段によって一連の文字列が入力されている途中の所定操作によって所定の文字種の違いを識別しつつ分割した文字入力枠を表示することを特徴とする。
【００１０】
さらに、前記表示切替手段は、前記文字入力手段によって一連の文字列が入力されている途中で所定の文字種が入力される毎に分割した文字入力枠に表示切替することを特徴とする。
【００１１】
尚、前記表示切替手段は、英文字・数字・定型文字・拡張子を所定の文字種として識別するのが好ましい。
【００１２】
この際、前記表示切替手段は、前記文字列に英文字−数字−ドット−拡張子がこの順に含まれている場合には、それぞれを英文字−数字−ドット−拡張子に分割して前記文字入力枠に表示することができる。
【００１３】
また、前記表示切替手段は、前記英文字−数字−ドット−拡張子を分割して前記文字入力枠に表示した場合には、前記分割した文字入力枠のうち数字を表示した前記文字入力枠に添えてプルダウンメニュー選択ボタン又は履歴メニュー選択ボタンを表示することができる。
【００１４】
さらに、前記表示切替手段は、数字が３桁以上連続している場合に、前記所定の文字種として識別するのが好ましい。
【００１５】
また、本発明のテキストボックス入力プログラムは、所望文字を文字入力手段によって入力する文字入力ステップと、前記文字入力手段によって入力された文字列を文字入力枠に表示する表示ステップと、前記文字入力手段によって入力された所定の文字種の違いを区切りとして分割した文字入力枠に表示切替する表示切替ステップと、前記分割された文字入力枠にそれぞれ入力された文字列を一連の文字列として識別する文字種識別ステップと、をコンピュータに実行することを特徴とする。
【発明の効果】
【００１６】
本発明のテキストボックス入力システム及びテキストボックス入力プログラムは、一連の文字列の入力・編集を容易に行うことができる。
【発明を実施するための最良の形態】
【００１７】
次に、本発明の一実施形態に係るテキストボックス入力システム及びテキストボックス入力プログラムについて、図面を参照して説明する。
【００１８】
図１は本発明の一実施形態に係るテキストボックスを備えたコンピュータの説明図、図２は本発明の一実施形態に係るテキストボックスを備えたブラウザ表示の説明図、図３は本発明の一実施形態に係るテキストボックスの文字変更時の要部の説明図、図４は本発明の一実施形態に係るテキストボックスの変形例１の説明図、図５は本発明の一実施形態に係るテキストボックスの変形例２の説明図、図６は本発明の一実施形態に係るテキストボックスの変形例３の説明図、図７は本発明の一実施形態に係るテキストボックスの変形例４の説明図である。
【００１９】
図１において、１１はパーソナルコンピュータのコンピュータ本体（共に図示せず）に接続された文字入力手段としてのキーボード、１２はキーボード１１と併用してコンピュータ本体の操作を行うためのマウス、１３はコンピュータ本体に内蔵されてパーソナルコンピュータの制御全般を司ると共に本発明の表示切替手段として機能する制御回路（ＣＰＵ）、１４はコンピュータ本体に接続されて制御回路１３に表示制御されるモニタ、１５はコンピュータ本体の駆動用のオペレーティングシステム（ＯＳ）や各種プログラムソフトがインストールされる大容量記憶媒体（ＨＤＤ）等の記憶媒体、１６はコンピュータ本体の起動制御プログラム等を記憶したＲＯＭ等のメモリである。
【００２０】
尚、本発明のテキストボックス入力システムを実現するためのテキストボックス入力プログラムは、各種プログラム（例えば、ブラウザ）の一部として記憶媒体１５にインストールされており、このプログラムを実行する制御回路１３とでマイクロコンピュータを構成している。
【００２１】
図２に示すように、本発明の一実施形態に係る文字入力枠としてのＵＲＬ入力部２は、パーソナルコンピュータ（図示せず）にインストールされた各種プログラムの一種としてのブラウザを起動させ、パーソナルコンピュータのモニタ１４にブラウザ画面１を表示させることによって、ブラウザ画面１の一部として表示される。
【００２２】
また、ＵＲＬ入力部としてのＵＲＬ入力部２は、インターネット接続用のＵＲＬを文字入力手段としてのキーボード１１等を利用して入力することで所望のインターネット画像をブラウザ画面１の画像表示部３に表示することができる。
【００２３】
この際、表示切替手段としての制御回路１３は、キーボード１１を利用して入力された所望の文字からなる一連の文字列が図８に示したＵＲＬ入力部２に入力された後、例えば、ユーザーの所定操作としてキーボード１１の‘Ｅｎｔｅｒキー’が押圧操作されることによって、そのＵＲＬに対するインターネット接続を実行すると同時に、ＵＲＬ入力部２を、図８に示した状態から図２に示したようにＵＲＬ入力部２ａ〜２ｍに一括して分割表示する。
【００２４】
この際、制御回路１３は、ブラウザのＵＲＬとして使用される文字（英字・数字・記号等）のうち、所定の定型文字（例えば、「：／／」・「．」「／」等）を識別することによってＵＲＬ入力部２ａ〜２ｍに分割表示する。
【００２５】
例えば、図８に示したＵＲＬの場合、制御回路１３は、「ｈｔｔｐ：／／ｗｗｗ．ｘｘｘｘｘ．ｇｏ．ｊｐ／ｉｎｆｏ／ｉｐｄｌ／ｎｅｗｓ／ｉｎｄｅｘ．ｈｔｍｌ」の全てをキーボード１１を利用してユーザーが入力することでＵＲＬ入力部２にその文字列が表示され、キーボード１１の‘Ｅｎｔｅｒキー’を押圧操作することでそのＵＲＬへのインターネット接続を実行すると同時に、プロトコル等の情報種類・サーバ種類・ドメイン名・フォルダ名・ファイル名を考慮しつつ、ＵＲＬとして用いられる定型文字を文字種の違いとして識別し、「ｈｔｔｐ」「：／／」「ｗｗｗ」「．」「ｘｘｘｘｘ．ｇｏ．ｊｐ」「／」「ｉｎｆｏ」「／」「ｉｐｄｌ」「／」「ｎｅｗｓ」「／」「ｉｎｄｅｘ．ｈｔｍｌ」のように分割し、各文字列をＵＲＬ入力部２ａ〜２ｍに分割表示する。
【００２６】
この際、制御回路１３は、キーボード１１を利用して所望の文字からなる一連の文字列を入力している最中に、例えば、ユーザーの所定操作としてキーボード１１の‘Ｔａｂキー’を押圧操作する毎に新たなＵＲＬ入力部２ｂ〜２ｍを作成して分割表示しても良い。
【００２７】
例えば、図８に示したＵＲＬの場合、ユーザーは、「ｈｔｔｐ」‘Ｔａｂキー’「：／／」‘Ｔａｂキー’「ｗｗｗ」‘Ｔａｂキー’「．」‘Ｔａｂキー’「ｘｘｘｘｘ．ｇｏ．ｊｐ」‘Ｔａｂキー’「／」‘Ｔａｂキー’「ｉｎｆｏ」‘Ｔａｂキー’「／」‘Ｔａｂキー’「ｉｐｄｌ」‘Ｔａｂキー’「／」‘Ｔａｂキー’「ｎｅｗｓ」‘Ｔａｂキー’「／」‘Ｔａｂキー’「ｉｎｄｅｘ．ｈｔｍｌ」の順に入力操作することにより、結果的に所定の文字種の違いで分割したＵＲＬ入力部２ａ〜２ｍに分割表示する。
【００２８】
また、制御回路１３は、上述したＵＲＬ入力部２がＵＲＬの入力枠として使用する場合、プロトコル等の情報種類・サーバ種類・ドメイン名・フォルダ名・ファイル名を考慮しつつ、予めＵＲＬとして用いられる定型文字（例えば、「：／／」・「．」「／」等）を文字種の違いとして識別し、「ｈｔｔｐ：／／ｗｗｗ．ｘｘｘｘｘ．ｇｏ．ｊｐ／ｉｎｆｏ／ｉｐｄｌ／ｎｅｗｓ／ｉｎｄｅｘ．ｈｔｍｌ」とするＵＲＬをキーボード１１を利用してユーザーが入力している最中に、その定型文字を識別しつつＵＲＬ入力部２ａ〜２ｍに分割表示する。
【００２９】
例えば、制御回路１３は、キーボード１１を利用して、ＵＲＬ入力部２に「ｈｔｔｐ：／／」と入力した時点で、「：／／」を定型文字として識別し、その直前の文字列「ｈｔｔｐ」をプロトコル等の情報種類として判断し、文字列「ｈｔｔｐ」と文字列「：／／」とをＵＲＬ入力部２ａ，２ｂに分割表示すると共に、「ｈｔｔｐ：／／」に続く文字列「ｗｗｗ・・・」の入力用のＵＲＬ入力部２ｃを分割表示する。
【００３０】
また、制御回路１３は、キーボード１１を利用して、ＵＲＬ入力部２ｃに「ｗｗｗ．」と入力された時点で、「．」を定型文字として識別し、その直前の文字列「ｗｗｗ」をホスト名として判断し、文字列「ｗｗｗ」と文字列「．」とをＵＲＬ入力部２ｃ，２ｄに分割表示すると共に、「ｗｗｗ．」に続くドメイン名としての文字列「ｘｘｘｘｘ．ｇｏ．ｊｐ・・・」の入力用のＵＲＬ入力部２ｅを分割表示する。
【００３１】
さらに、制御回路１３は、キーボード１１を利用して、ＵＲＬ入力部２ｅに「ｘｘｘｘｘ．ｇｏ．ｊｐ／」と入力された時点で、「／」を定型文字として識別し、その直前の文字列「ｘｘｘｘｘ．ｇｏ．ｊｐ」中の「．」は定型文字とは識別せず、文字列「ｘｘｘｘｘ．ｇｏ．ｊｐ」の全体をドメイン名として判断し、文字列「ｘｘｘｘｘ．ｇｏ．ｊｐ」と文字列「／」とをＵＲＬ入力部２ｅ，２ｆに分割表示すると共に、ｘｘｘｘｘ．ｇｏ．ｊｐ／」に続く文字列「ｉｎｆｏ・・・」の入力用のＵＲＬ入力部２ｇを分割表示する。
【００３２】
以下、制御回路１３は、このドメイン名以降の「／」は各フォルダ名の区切りとして使用される定型文字として識別すると共に、ドメイン名以降の「．」はファイル名の識別子用に用いられる文字であって定型文字に含まれないとして、「ｉｎｆｏ」「／」「ｉｐｄｌ」「／」「ｎｅｗｓ」「／」「ｉｎｄｅｘ．ｈｔｍｌ」のように分割たＵＲＬ入力部２ｇ〜２ｍに分割表示する。
【００３３】
そして、制御回路１３は、これら結果的に分割されたＵＲＬ入力部２ａ〜２ｍに分割表示された各文字列は、例えば、キーボード１１の‘Ｅｎｔｅｒキー’を押圧操作することで
文字識別手段として機能して一連の文字列であるＵＲＬとしてインターネット接続が実行される。
【００３４】
ところで、図２に示した各ＵＲＬ入力部２ａ〜２ｍの場合、例えば、文字列「ｈｔｔｐ」をプロトコル（情報種別）としてＵＲＬ入力部２ａ、文字列「：／／」を定型文字としてＵＲＬ入力部２ｂ、文字列「ｗｗｗ」をホスト名としてＵＲＬ入力部２ｃ、サーバ種類に続くドット文字「．」を定型文字としてＵＲＬ入力部２ｄ、文字列「ｘｘｘｘｘｘ．ｇｏ．ｊｐ」をドメイン名としてＵＲＬ入力部２ｅ、以下の各文字「／」をフォルダの区切りとしてＵＲＬ入力部２ｆ，２ｈ，２ｊ，２ｌ、その間の文字列をフォルダ名としてＵＲＬ入力部２ｇ，２ｉ，２ｋ、末端の文字列「ｉｎｄｅｘ．ｈｔｍｌ」をファイル名としてＵＲＬ入力部２ｍとして区切っている。
【００３５】
これにより、例えば、所定のキー（例えば、Ｔａｂキー）を押圧した場合には、その直前の文字列を制御回路１３が識別することにより、所定の定型文字（例えば、「：／／」・「．」「／」等）が自動で入力されて各ＵＲＬ入力部２ｂ，２ｄ，２ｆ，２ｈ，２ｊ，２ｌが作成されると共にその前後に分割されたＵＲＬ入力部２ａ，２ｃ，２ｅ，２ｇ，２ｉ，２ｋ，２ｍを作成することができ、文字入力・操作を容易に行うようにすることもできる。
【００３６】
また、例えば、ＵＲＬ入力部２ｅ，２ｇ，２ｉ，２ｋ，２ｍ中のスペル入力を間違えたことによってインターネット接続ができなかった場合等には、スペル入力ミスに該当するＵＲＬ入力部２ｅ，２ｇ，２ｉ，２ｋ，２ｍをマウス１２を利用して直接指定することにより、一連の文字列の途中や文頭・文末からカーソルを移動させてスペル入力ミス部分に移動するといった操作の面倒を解消することができる。
【００３７】
この際、例えば、ＵＲＬ入力部２ｇの文字列「ｉｎｆｏ」を入力ミスして文字列「ｉｎｆｕ」とした場合、ＵＲＬ入力部２ｇをマウス１２で指定して文字列「ｉｎｆｏ」を入力することにより文字列「ｉｎｆｕ」を上書きするようにしても良いし、ＵＲＬ入力部２ｇの文字列「ｉｎｆｕ」の「ｆ」と［ｕ］との間をマウス１２で指定して文字「ｕ」を文字「ｏ」に書き変える操作としても良い。
【００３８】
また、制御回路１３は、例えば、ＵＲＬ入力部２ｇ，２ｉの文字列「ｉｎｆｏ」と「ｉｐｄｌ」との間が定型文字「／」でなく「＝」（又は「％」等）の誤記であった場合、図３に示すように、ＵＲＬ入力部２ｇの文字列「ｉｎｆｏ」を文字列「ｉｎｆｏ＝ｉｐｄｌ」（又は「ｉｎｆｏ％ｉｐｄｌ」等）としたうえで“Ｔａｂキー”＋“Ｄｅｌｅｔｅキー”を操作することでＵＲＬ入力部２ｈ，２ｉを削除した分割表示とすると共に新たな一連のＵＲＬとして識別することができる。
【００３９】
さらに、制御回路１３は、ＵＲＬ末端がファイル名であった場合、例えば、図２に示したＵＲＬ入力部２ｍに入力された文字列「ｉｎｄｅｘ．ｈｔｍｌ」が図４に示したような英文字−数字−ドット−拡張子の組み合わせであった場合、これら英文字−数字−ドット−拡張子のそれぞれを文字種の違いとして識別し、これら英文字−数字−ドット−拡張子のそれぞれをさらに分割してＵＲＬ入力部２ｎ〜２ｑとして分割表示し、ＵＲＬ入力部２ｏの数字「０６３」のみを所望の数字に変えることで画像等を画像表示部３に切り替え表示するといった操作の容易性を向上させることも可能である。
【００４０】
尚、制御回路１３は、英文字−数字の組み合わせであった場合、数字が３桁以上連続した場合にのみ英文字−数字をそれぞれ分割表示するようにしても良い。
【００４１】
また、制御回路１３は、例えば、図５及び図６に示すように、数字の部分に対応するＵＲＬ入力部２ｏに添えてプルダウンメニュー選択ボタン２ｒを表示することによりＵＲＬ入力部２ｏの数字を上下に切り替えるといった操作性を向上させることも可能である。
【００４２】
さらに、制御回路１３は、図７に示すように、履歴メニュー選択ボタン２ｓを表示することによりＵＲＬ入力部２ｍの付近に履歴表示２ｔを表示し、マウス操作に連動するポインタ４の位置に応じて履歴選択枠２ｕを移動させてマウス操作（ボタンクリック）により履歴選択を可能とするといった操作の容易性を向上させることも可能である。
【００４３】
このように、本発明のテキストボックス入力システム及びテキストボックス入力プログラムによれば、テキストボックスとしてのＵＲＬ入力部２を分割表示することにより、一連の文字列が長い場合であっても、その入力や変更等の編集を容易に行うことができる。
【００４４】
ところで、上記実施の形態では、本発明のテキストボックス入力システム及びテキストボックス入力プログラムをパーソナルコンピュータにインストールされたブラウザの表示例に適用して説明したが、所定の定型文字（記号を含む）で分割可能なテキスト全般に適用することができることは勿論である。
【図面の簡単な説明】
【００４５】
【図１】本発明の一実施形態に係るテキストボックスを備えたコンピュータの説明図である。
【図２】本発明の一実施形態に係るテキストボックスを備えたブラウザ表示の説明図である。
【図３】本発明の一実施形態に係るテキストボックスの文字変更時の要部の説明図である。
【図４】本発明の一実施形態に係るテキストボックスの変形例１の説明図である。
【図５】本発明の一実施形態に係るテキストボックスの変形例２の説明図である。
【図６】本発明の一実施形態に係るテキストボックスの変形例３の説明図である。
【図７】本発明の一実施形態に係るテキストボックスの変形例４の説明図である。
【図８】テキストボックスを備えたブラウザ表示の説明図である。
【符号の説明】
【００４６】
２…ＵＲＬ入力部（文字入力枠）
２ａ〜２ｍ…文字入力枠
１１…キーボード（文字入力手段）
１２…マウス
１３…制御回路（表示切替手段・文字種識別手段）
【図１】
2008257428.tif 000003
【図２】
2008257428.tif 000004
【図３】
2008257428.tif 000005
【図４】
2008257428.tif 000006
【図５】
2008257428.tif 000007
【図６】
2008257428.tif 000008
【図７】
2008257428.tif 000009
【図８】
2008257428.tif 000010